(57)【要約】【課題】保健支援システムと方法の提供。【解決手段】本発明は保健支援システムと方法を提案する。当該システムには、複数の人体データを測定する器具と、プロセッサー、ネットワークプラットホームがある。当該方法とは、当該システムを利用して、所定の手順を行い、保健の目的を達成することを指す。上述したシステムと方法により、利用者は別途時間を作ることなく、ごく自然な状況において、自由に計測および検査でき、また、その後の健康状況をチェックすることもできる。【選択図】図２
2008197784.tif 000002
【特許請求の範囲】
【請求項１】
複数の人体データを計測するマウス、パソコン及びネットワークプラットホームを含み、
該複数の人体データを計測するマウスは少なくとも一つがあり、その上に計測器が設置され、前記計測器は人体データの測定に使用され、利用者の手が触れるところに設置され、前記計測器を手で触ると計測が開始し、測定済のデータはパソコンに転送され、
該パソコンは少なくとも一台があり、中にコントロールインターフェースがあって、前記コントロールインターフェースを操作することにより、マウスで測定したデータを管理でき、また、データ表示、統計図表作製、データを保存管理し及びネットワークにアップロードする機能があり、
該ネットワークプラットホームは一つあり、前記ネットワークプラットホームには少なくともデータベースを一つ設置され、利用者のパソコンからアップロードされたデータを受け取り、データを整理してから、医療機関と利用者に検索サービスを提供し、もしくは、直接に医療機関に提供することを特徴とする保健支援システム。
【請求項２】
複数の人体データを計測するゲームコントローラー、ゲーム機及びネットワークプラットホームを含み、
該複数の人体データを計測するゲームコントローラーは少なくとも一つがあり、その上に計測器が設置され、前記計測器は人体データの測定に使用され、利用者の手が触れるところに設置され、前記計測器を手で触ると計測が開始し、測定済のデータはゲーム機に転送され、
該ゲーム機は少なくとも一台があり、中にコントロールインターフェースがあって、前記コントロールインターフェースを操作することにより、ゲームコントローラーで測定したデータを管理でき、また、データ表示、統計図表作製、データを保存管理し及びネットワークにアップロードする機能があり、
該ネットワークプラットホームは少なくとも一つのデータベースを設け、利用者のパソコンからアップロードされたデータを受け取り、データを整理してから、医療機関と利用者に検索サービスを提供し、もしくは、直接に医療機関に提供することを特徴とする保健支援システム。
【請求項３】
少なくとも一台の複数の人体データを計測する携帯電話機及びネットワークプラットホームを含み、その携帯電話機に計測器が設置され、前記計測器は人体データの測定に使用され、利用者の手触れるところに設置され、前記計測器を手で触ると計測が開始し、なお、携帯電話機にはコントロールインターフェースがあって、前記コントロールインターフェースを操作することにより、測定したデータを管理でき、また、データ表示、統計図表作製、データを保存管理し及びネットワークにアップロードする機能があり、前記ネットワークプラットホームには少なくとも一つのデータベースを設置し、利用者のパソコンからアップロードされたデータを受け取り、データを整理してから、医療機関と利用者に検索サービスを提供し、もしくは、直接に医療機関に提供することを特徴とすることを特徴とする保健支援システム。
【請求項４】
前記計測器は、体温計、体脂肪計、血圧計測器、血糖値計測器、心拍数計測器、もしくは以上の組合せであり、前記測定したデータは、体温値、体脂肪値、血圧値、血糖値、心拍数などのデータを指していることを特徴とする請求項１又は請求項２又は請求項３記載の保健支援システム。
【請求項５】
前記ネットワークフラットホームについては更に以下の機能が設けられている：保健ニュースと医療常識の機能があり、利用者に保健と医療の知識を提供する、ブログ機能があり、利用者がブログ機能を使って情報交換できる、登録機能があり、利用者がメンバーに加入して、自らの保健データを管理できる、ダウンロード機能があり、利用者がコントロールインターフェースをダウンロードや更新できる、医療リンク機能があり、利用者がこの機能を使用して、インスタントメッセージングや電子メールを送って、医者や医療機関と連絡とれ、必要な場合は、インターネット上の診療要約ができることを特徴とする請求項４記載の保健支援システム。
【請求項６】
利用者が日常生活での自然状況で、複数の人体データを計測でき、測定したデータにより自らの健康状態を知ることができる、その手順は以下の通りである、
（ａ）複数の人体データを測定できるマウスを使い、利用者がパソコンを操作している同時に、データの計測をする、
（ｂ）測定済のデータをパソコンに転送し、パソコンの中にコントロールインターフェースがありまして、測定済のデータを管理する、前記コントロールインターフェースには、ウェブサイトリンク、図表統計、ファイルシステムとデータ表示の機能があり、利用者は随時自らの健康状態を確認できるし、統計図表を作成したり、データを保存整理したり、ネットワークにアップロードしたりすることができる、
（ｃ）測定済のデータを保健ネットワークプラットホームにアップロードし、前記プラットホームには、利用者の諸データを保存するデータベースがある、
（ｄ）医者や医療機関は前記データベースの内容を読み取ることにより、利用者の目前の健康状態と長期記録を知ることができ、また、利用者に適切なアドバイスや健康報告を提出することができる、
（ｅ）利用者がパソコンのコントロールインターフェースのウェブサイトリンク機能を使えば、前記保健ネットワークプラットホームに直接にリンクできるし、医者や医療機関の提出したアドバイスや検査報告を読むことができる、
（ｆ）前記ウェブサイトの医療リンク機能を使えば、メールやインスタントメッセージングを送り、医者や医療機関と直接に連絡し、自らの健康状態を知ることができ、必要な場合は、インターネット上の診療予約ができることを特徴とする保健支援方法。
【請求項７】
利用者が日常生活での自然状況で、複数の人体データを計測でき、測定したデータにより自らの健康状態を知ることができる、その手順は以下の通りである、
（ａ）複数の人体データを測定できるゲームコントローラーを使い、利用者がゲームを遊んでいる同時にデータの計測を行える、
（ｂ）前記ゲーム機のコントローラが測定済のデータをゲーム機に転送し、ゲーム機の中にコントロールインターフェースがあり、測定済のデータを管理でき、前記コントロールインターフェースには、ウェブサイトリンク、図表統計、ファイルシステムとデータ表示の機能があり、利用者は随時自らの健康状態を確認でき、統計図表を作成したり、データを保存整理したり、ネットワークにアップロードしたりすることができる、
（ｃ）測定済のデータを保健ネットワークプラットホームにアップロードし、前記プラットホームには、利用者の諸データを保存するデータベースがある、
（ｄ）医者や医療機関は前記データベースの内容を読み取ることにより、利用者の目前の健康状態と長期記録を知ることができ、また、利用者に適切なアドバイスや健康報告を提出することができる、
（ｅ）利用者がパソコンのコントロールインターフェースのウェブサイトリンク機能を使えば、前記保健ネットワークプラットホームに直接にリンクできるし、医者や医療機関の提出したアドバイスや検査報告を読むことができる、
（ｆ）前記ウェブサイトの医療リンク機能を使えば、メールやインスタントメッセージングを送り、医者や医療機関と直接に連絡し、自らの健康状態を知ることができ、必要な場合は、インターネット上の診療予約ができることを特徴とする保健支援方法。
【請求項８】
利用者が日常生活での自然状況で、複数の人体データを計測でき、測定したデータにより自らの健康状態を知ることができる、その手順は以下の通りである、
（ａ）複数の人体データを測定できる携帯電話機を使い、利用者が携帯電話を使っている同時に、データの計測をする、
（ｂ）携帯電話機にはコントロールインターフェースがあり、測定済のデータを管理し、前記コントロールインターフェースには、ウェブサイトリンク、図表統計、ファイルシステムとデータ表示の機能があり利用者は随時自らの健康状態を確認できるし、統計図表を作成したり、データを保存整理したり、ネットワークにアップロードしたりすることができる、
（ｃ）測定済のデータを保健ネットワークプラットホームにアップロードし、前記プラットホームには、利用者の諸データを保存するデータベースがある、
（ｄ）医者や医療機関は前記データベースの内容を読み取ることにより、利用者の目前の健康状態と長期記録を知ることができ、また、利用者に適切なアドバイスや健康報告を提出することができる、
（ｅ）利用者がパソコンのコントロールインターフェースのウェブサイトリンク機能を使えば、前記保健ネットワークプラットホームに直接にリンクできるし、医者や医療機関の提出したアドバイスや検査報告を読むことができる、
（ｆ）前記ウェブサイトの医療リンク機能を使えば、メールやインスタントメッセージングを送り、医者や医療機関と直接に連絡し、自らの健康状態を知ることができ、必要な場合は、インターネット上の診療予約ができることを特徴とする保健支援方法。
【請求項９】
前記データは体温値、体脂肪値、血糖値、血圧値、心拍数、もしくは上述したデータの組合せを指すことを特徴とする請求項６又は請求項７又は請求項８記載の保健支援方法。
【発明の詳細な説明】
【技術分野】
【０００１】
本発明は医療と保健支援システムと方法を提案する。特に利用者が自然な状況で、自由に計測、検査でき、またその後の健康状況を把握できるシステムと方法を指す。
【背景技術】
【０００２】
時代の進歩につれ、人々はますます健康のことを大切に思ってきたが、日々の忙しさで自己健康診断を定期に行うことが難しい。
【０００３】
特許文献１の「遠距離医療システムの構築(二)」とは、インターネットを通して、計測済の人体データをネットワークプラットホームにアップデートし、その後は当該プラットホーム経由で、各医療機関に転送する提案である。各医療機関はそのデータを取得してから患者に対して初期診断を行う。患者にとっては、病院を訪れる無駄な時間が節約できる。
【０００４】
但し、上述の発明は、利用者が病院に行く時間を節約できるにもかかわらず、実際に効用が少ないである。その理由は、数多くの時間ある患者は直接に病院に行って検査を受けることが好む一方、時間のない患者はほんの数分間を使って自己検査をすることさえ忘れてしまうからである。したがって、このような医療プラットホームの提案は結局データの転送と保存の単純機能にすぎない。現代人が忙しい生活の中で、自分の健康を常に注意できない問題は解決していない。
【０００５】
以上に鑑み、別途に時間を作らなくても、利用者がごく自然の状況で、自由に計測、検査でき、またその後の健康状況をチェックできるシステムと方法を発明する必要がある。
【０００６】
【特許文献１】台湾特許第095206628号明細書。
【発明の開示】
【発明が解決しようとする課題】
【０００７】
本発明は保健システムの一種で、その中には少なくとも以下が含まれる：人体データを計測する器具。当該器具は日常生活でよく使われている携帯電話機、ゲームコントローラー、マウスなどどちらでもよい。その器具の上に少なくとも一つの計測器を設定し、人体データを測定するときに使う。当該装置は簡単に手触れるところに設置され、手で触ると計測機能が開始する。そして、計測済のデータをネットワークとプロセッサーに転送する。プロセッサーが一つある。パソコン、ゲーム機、携帯電話機どちらでもよい。プロセッサーの上にコントロールインターフェースを設置し、当該インターフェースを通して、計測済の複数人体データを管理することができる。当該データを表示したり、統計図面を作製したり、保存管理したり、インターネットにアップデートしたりすることが可能である。ネットワークプラットホームが一つある。当該プラットホームには、少なくとも一つのデータベースは構築されている。プロセッサーがアップデートしたデータを受け取って、整理してから、医療機関や利用者に検索サービスを提供する。
【０００８】
本発明は保健方法を提出する。利用者は日常生活において、ごく自然な状況において、複数の人体データを計測することができる。また、測定したデータにより、自らの健康状態を知ることが可能である。その操作手順は次のとおりである。
(a) 複数の人体データを計測する器具を利用する。当該器具は日常生活でよく使われている携帯電話機、ゲームコントローラー、マウスどちらでもよい。利用者が携帯電話を使用したら、ゲームを遊んだら、パソコンを操作したら、データの測定が同時に開始する。
(b) 測定済のデータはインターネットと接続しているプロセッサーに転送される。当該プロセッサーはパソコン、ゲーム機、携帯電話機どちらでも使える。プロセッサーのコントロールインターフェースの操作により、測定済のデータを管理し、検査する。当該インターフェースにウェブサイトリンク、図表統計、ファイルシステム化、データ表示などの機能がある。利用者は随時自らの身体状況をチェックし、図表を作成して、データを保存整理しあるいはインターネットにアップデートすることができる。
(c) データを保健ネットワークプラットホームにアップデートする。当該プラットホームに利用者の諸データを保存するデータベースが設けられている。
(d) 医者や医療機関がデータベースに保存されているデータを読み取ることにより、利用者の目前の健康状況と長期間の記録を知ることができ、利用者に適切なアドバイスや検査報告を提供することができる。
(e) パソコンのコントロールインターフェースにはウェブサイトリンク機能がある。使えば、利用者が直接に保健ネットワークプラットホームにリンクする。リンクしてから、医者や医療機関のアドバイスや検査報告を読むことができる。
(f) ウェブサイドの医療リンク機能を使えば、直接にメールやインスタントメッセージングで、医者や医療機関と連絡できる。必要な場合、インターネット上で診療予約もできる。
【０００９】
上述した保健支援システムと方法であるが、利用者がごく自然の状況で、別途に時間を作ることなく、人体データを計測、検査でき、またその後の健康状況をチェックできるシステムと方法を提案する。
【課題を解決するための手段】
【００１０】
請求項１の発明は、複数の人体データを計測するマウス、パソコン及びネットワークプラットホームを含み、
該複数の人体データを計測するマウスは少なくとも一つがあり、その上に計測器が設置され、前記計測器は人体データの測定に使用され、利用者の手が触れるところに設置され、前記計測器を手で触ると計測が開始し、測定済のデータはパソコンに転送され、
該パソコンは少なくとも一台があり、中にコントロールインターフェースがあって、前記コントロールインターフェースを操作することにより、マウスで測定したデータを管理でき、また、データ表示、統計図表作製、データを保存管理し及びネットワークにアップロードする機能があり、
該ネットワークプラットホームは一つあり、前記ネットワークプラットホームには少なくともデータベースを一つ設置され、利用者のパソコンからアップロードされたデータを受け取り、データを整理してから、医療機関と利用者に検索サービスを提供し、もしくは、直接に医療機関に提供することを特徴とする保健支援システムとしている。
請求項２の発明は、複数の人体データを計測するゲームコントローラー、ゲーム機及びネットワークプラットホームを含み、
該複数の人体データを計測するゲームコントローラーは少なくとも一つがあり、その上に計測器が設置され、前記計測器は人体データの測定に使用され、利用者の手が触れるところに設置され、前記計測器を手で触ると計測が開始し、測定済のデータはゲーム機に転送され、
該ゲーム機は少なくとも一台があり、中にコントロールインターフェースがあって、前記コントロールインターフェースを操作することにより、ゲームコントローラーで測定したデータを管理でき、また、データ表示、統計図表作製、データを保存管理し及びネットワークにアップロードする機能があり、
該ネットワークプラットホームは少なくとも一つのデータベースを設け、利用者のパソコンからアップロードされたデータを受け取り、データを整理してから、医療機関と利用者に検索サービスを提供し、もしくは、直接に医療機関に提供することを特徴とする保健支援システムとしている。
請求項３の発明は、少なくとも一台の複数の人体データを計測する携帯電話機及びネットワークプラットホームを含み、その携帯電話機に計測器が設置され、前記計測器は人体データの測定に使用され、利用者の手触れるところに設置され、前記計測器を手で触ると計測が開始し、なお、携帯電話機にはコントロールインターフェースがあって、前記コントロールインターフェースを操作することにより、測定したデータを管理でき、また、データ表示、統計図表作製、データを保存管理し及びネットワークにアップロードする機能があり、前記ネットワークプラットホームには少なくとも一つのデータベースを設置し、利用者のパソコンからアップロードされたデータを受け取り、データを整理してから、医療機関と利用者に検索サービスを提供し、もしくは、直接に医療機関に提供することを特徴とすることを特徴とする保健支援システムとしている。
請求項４の発明は、前記計測器は、体温計、体脂肪計、血圧計測器、血糖値計測器、心拍数計測器、もしくは以上の組合せであり、前記測定したデータは、体温値、体脂肪値、血圧値、血糖値、心拍数などのデータを指していることを特徴とする請求項１又は請求項２又は請求項３記載の保健支援システムとしている。
請求項５の発明は、前記ネットワークフラットフォについては更に以下の機能が設けられている：保健ニュースと医療常識の機能があり、利用者に保健と医療の知識を提供する、ブログ機能があり、利用者がブログ機能を使って情報交換できる、登録機能があり、利用者がメンバーに加入して、自らの保健データを管理できる、ダウンロード機能があり、利用者がコントロールインターフェースをダウンロードや更新できる、医療リンク機能があり、利用者がこの機能を使用して、インスタントメッセージングや電子メールを送って、医者や医療機関と連絡とれ、必要な場合は、インターネット上の診療要約ができることを特徴とする請求項４記載の保健支援システムとしている。
請求項６の発明は、利用者が日常生活での自然状況で、複数の人体データを計測でき、測定したデータにより自らの健康状態を知ることができる、その手順は以下の通りである、
（ａ）複数の人体データを測定できるマウスを使い、利用者がパソコンを操作している同時に、データの計測をする、
（ｂ）測定済のデータをパソコンに転送し、パソコンの中にコントロールインターフェースがありまして、測定済のデータを管理する、前記コントロールインターフェースには、ウェブサイトリンク、図表統計、ファイルシステムとデータ表示の機能があり、利用者は随時自らの健康状態を確認できるし、統計図表を作成したり、データを保存整理したり、ネットワークにアップロードしたりすることができる、
（ｃ）測定済のデータを保健ネットワークプラットホームにアップロードし、前記プラットホームには、利用者の諸データを保存するデータベースがある、
（ｄ）医者や医療機関は前記データベースの内容を読み取ることにより、利用者の目前の健康状態と長期記録を知ることができ、また、利用者に適切なアドバイスや健康報告を提出することができる、
（ｅ）利用者がパソコンのコントロールインターフェースのウェブサイトリンク機能を使えば、前記保健ネットワークプラットホームに直接にリンクできるし、医者や医療機関の提出したアドバイスや検査報告を読むことができる、
（ｆ）前記ウェブサイトの医療リンク機能を使えば、メールやインスタントメッセージングを送り、医者や医療機関と直接に連絡し、自らの健康状態を知ることができ、必要な場合は、インターネット上の診療予約ができることを特徴とする保健支援方法としている。
請求項７の発明は、利用者が日常生活での自然状況で、複数の人体データを計測でき、測定したデータにより自らの健康状態を知ることができる、その手順は以下の通りである、
（ａ）複数の人体データを測定できるゲームコントローラーを使い、利用者がゲームを遊んでいる同時にデータの計測を行える、
（ｂ）前記ゲーム機のコントローラが測定済のデータをゲーム機に転送し、ゲーム機の中にコントロールインターフェースがあり、測定済のデータを管理でき、前記コントロールインターフェースには、ウェブサイトリンク、図表統計、ファイルシステムとデータ表示の機能があり、利用者は随時自らの健康状態を確認でき、統計図表を作成したり、データを保存整理したり、ネットワークにアップロードしたりすることができる、
（ｃ）測定済のデータを保健ネットワークプラットホームにアップロードし、前記プラットホームには、利用者の諸データを保存するデータベースがある、
（ｄ）医者や医療機関は前記データベースの内容を読み取ることにより、利用者の目前の健康状態と長期記録を知ることができ、また、利用者に適切なアドバイスや健康報告を提出することができる、
（ｅ）利用者がパソコンのコントロールインターフェースのウェブサイトリンク機能を使えば、前記保健ネットワークプラットホームに直接にリンクできるし、医者や医療機関の提出したアドバイスや検査報告を読むことができる、
（ｆ）前記ウェブサイトの医療リンク機能を使えば、メールやインスタントメッセージングを送り、医者や医療機関と直接に連絡し、自らの健康状態を知ることができ、必要な場合は、インターネット上の診療予約ができることを特徴とする保健支援方法としている。
請求項８の発明は、利用者が日常生活での自然状況で、複数の人体データを計測でき、測定したデータにより自らの健康状態を知ることができる、その手順は以下の通りである、
（ａ）複数の人体データを測定できる携帯電話機を使い、利用者が携帯電話を使っている同時に、データの計測をする、
（ｂ）携帯電話機にはコントロールインターフェースがあり、測定済のデータを管理し、前記コントロールインターフェースには、ウェブサイトリンク、図表統計、ファイルシステムとデータ表示の機能があり利用者は随時自らの健康状態を確認できるし、統計図表を作成したり、データを保存整理したり、ネットワークにアップロードしたりすることができる、
（ｃ）測定済のデータを保健ネットワークプラットホームにアップロードし、前記プラットホームには、利用者の諸データを保存するデータベースがある、
（ｄ）医者や医療機関は前記データベースの内容を読み取ることにより、利用者の目前の健康状態と長期記録を知ることができ、また、利用者に適切なアドバイスや健康報告を提出することができる、
（ｅ）利用者がパソコンのコントロールインターフェースのウェブサイトリンク機能を使えば、前記保健ネットワークプラットホームに直接にリンクできるし、医者や医療機関の提出したアドバイスや検査報告を読むことができる、
（ｆ）前記ウェブサイトの医療リンク機能を使えば、メールやインスタントメッセージングを送り、医者や医療機関と直接に連絡し、自らの健康状態を知ることができ、必要な場合は、インターネット上の診療予約ができることを特徴とする保健支援方法としている。
請求項９の発明は、前記データは体温値、体脂肪値、血糖値、血圧値、心拍数、もしくは上述したデータの組合せを指すことを特徴とする請求項６又は請求項７又は請求項８記載の保健支援方法としている。
【発明の効果】
【００１１】
本発明が掲示するシステムと方法は、別途に時間を作らなくても、利用者がごく自然の状況で、自由に計測、検査でき、またその後の健康状況をチェックできるシステムと方法を発明する必要がある。
【発明を実施するための最良の形態】
【００１２】
図１〜図２をご参照ください。本発明は保健支援システムを提案し、その内容は以下が含まれる。複数の人体データを計測するマウス一つ(1)。マウスの上に体温、体脂肪、血糖値、心拍数を同時に計測できる総合型計測器(11)がある。当該計測器は利用者の手触れるところに設置され、体温値、体脂肪、血糖値と心拍数の測定に使う。また、血圧計測器(12)が一つある。空気腕帯(13)で、血圧値を測定に使う。マウス(1)を手で触ると、計測開始する。計測済のデータをパソコン(2)に転送する。
【００１３】
パソコン(2)が一台ある。パソコンには、コントロールインターフェース(21)が設置されており、当該インターフェース(21)を操作することによって、マウス(1)で測定したデータを管理することが可能である。また、データ表示、統計図表作製、データを保存整理し及びネットワークプラットフォーム(3)にアップデートする機能がある。
【００１４】
ネットワークプラットフォーム(3)が一つある。当該ネットワークプラットフォーム（3）は少なくとも一つのデータベース（31）が設置され、利用者のパソコン(2)からアップデートされたデータを受け取り、整理してから医療機関(4)や利用者に検索ビースを提供する。もしくは、直接に医療機関(4)に提供する。当該ネットワークプラットフォーム(3)には、保健ニュースと医療常識の機能があり、利用者に保健や医療の知識を提供する。また、ブログ機能もある。利用者がここで相関情報の交換ができる。登録機能もある。利用者がメンバーに参加し、自らの保健データを管理できる。ダウンロード機能もある。利用者がコントロールインターフェースのプログラムをダウンロードや更新することができる。医療リンク機能もある。利用者はこの機能を使い、インスタントメッセージングや電子メールで、医者や医療機関(4)と連絡とれる。必要な場合、インターネット上で診療予約も可能である。
【００１５】
図３〜図４をご参照ください。本発明は保健システムを提出し、その内容は以下のとおりである。人体データを計測するゲームコントローラー(5)が一つある。その上に体温、体脂肪、血糖値、心拍数を同時に計測できる複合型計測器(51)がある。当該装置は手触れるところに設置され、人間の体温、体脂肪値、血糖値、心拍数の測定に使う。なお、血圧測定器(52)が一つある。空気腕帯(53)で、血圧値の測定に使う。ゲームコントローラー(5)を手で触ったら、測定が開始する。測定済のデータをゲーム機(6)に転送する。
【００１６】
ゲーム機(6)が一台がある。中にコントロールインターフェース(61)が設置されており、当該インターフェース(61)を操作することにより、当該ゲーム機コントローラー(5)で測定したデータを管理することができる。また、データ表示、統計図表作成、データを保存整理し及びネットワークプラットフォーム(3)にアップデートする機能がある。
【００１７】
ネットワークプラットフォーム(3)がある。当該ネットワークプラットフォーム(3)には少なくとも、一つのデータベース(31)が構築されている。プラットホームはゲーム機(6)がアップデートしたデータを受け取り、整理してから、医療機関(4)及び利用者に検索サービスを提供する。もしくは、当該データを医療機関(4)に直接に提供する。当該ネットワークプラットフォーム(3)には保健ニュースと医療常識の機能があり、利用者に保健及び医療の知識を提供する。ブログの機能もある。利用者がここで情報交換ができる。登録機能もある。利用者がこメンバーに加入し、自らの保健データを管理できる。ダウンロード機能もある。利用者にインターフェースのプログラムをダウンロードや更新することができる。医療リンク機能もある。利用者がこの機能を使い、直接にSMSや電子メールを送り、医者や医療機関(4)と連絡とれる。必要な場合、インターネット上で診療予約もできる。
【００１８】
図５〜図６をご参照ください。本発明は保健支援システムを提出し、その内容は以下が含まれる。複数の人体データを測定する携帯電話機(7)がある。当該携帯電話機に体温、体脂肪、血糖値、心拍数を同時に計測できる総合型測定器(71)が設置されている。当該装置は手触れるところに設置されて、体温、体脂肪、血糖値、心拍数の測定に使う。血圧測定器(72)が一つある。空気腕帯(73)で、血圧の測定に使う。携帯電話機(7)は手と接触したら、計測が開始する。また、携帯電話機にコントロールインターフェース(72)が構築されており、当該インターフェース(72)を操作することにより、測定済のデータを管理することができる。データ表示、統計図表作成、データを保存整理し及びネットワークプラットフォーム(3)にアップデートすることができる。
【００１９】
ネットワークプラットフォーム(3)が一つある。当該ネットワークプラットフォーム(3)には、少なくとも一つのデータベース(31)が構築されている。プラットホームはパソコン(2)のアップデートされたデータを受け取り、整理してから医療機関(4)及び利用者に検索サービスを提供する。もしくは、当該データを医療機関(4)に直接に提供する。当該ネットワークプラットフォーム(3)には保健ニュースと医療常識の機能があり、利用者に保健上及び医療の知識を提供する。ブログの機能もある。利用者がここで討論し、情報交換ができる。登録機能もある。利用者がこの機能を使い、メンバーに加入し、自らの保健データを管理できる。ダウンロード機能もある。利用者がコントロールインターフェースのプログラムをダウンロードや更新できる。医療リンク機能もある。利用者がSMSや電子メールを送り、医者や医療機関(4)と直接に連絡とれる。必要な場合、インターネット上の診療予約もできる。
【００２０】
図７をご参照ください。本発明は保健支援の方法を提案する。つまり、実施例の保健システムに合わせながら完成した保健方法を指している。利用者がごく自然の状況で、体温、体脂肪、血圧値、血糖値、心拍数もしくは上述した数値の組合せを計測し、これらのデータにより自らの健康状態を分かるす。操作手順は次のとおりである、
(a) 複数の人体データを測定できるマウスを使う。利用者がパソコンを操作する同時に、計測が進められている。
(b) 測定済のデータをパソコンに転送する。パソコンのコントロールインターフェースの操作により、前記データを管理する。前記コントロールインターフェースには、ウェブサイドリンク、図表統計、ファイルシステム化及びデータ表示の機能がある。利用者が随時自分の今の健康状態を確認したり、統計図表を作成したり、データを保存整理したり、ネットワークにアップデートしたりすることができる。
(c) データを保健ネットワークプラットホームに転送する。前記プラットホームには利用者の諸データを保存するデータベースが構築されている。
(d)  医者や医療機関が前記データベースの内容を読み取ることにより、利用者の今の健康状態と長期の記録を知ることができ、利用者に適切なアドバイスと検査報告を提供できる。
(e)パソコンのコントロールインターフェースのウェブサイドリンク機能を使えば、利用者が前記保健ネットワークプラットホームにリンクすることができる。そして、医者や医療機関が提供したアドバイスや検査報告を読むことができる。
(f) ウェブサイドの医療リンク機能を使えば、メールやＳＭＳを送り、医者や医療機関に直接に連絡とれ、自らの健康状態を知ることもできる。診療が必要な場合、インタネット上の診療予約も同時にできる。
【００２１】
図８をご参照ください。本発明は保健支援方法を提出する。つまり、実施例二の保健支援システムに合わせて完成した保健方法を指している。利用者が日常生活において、ごく自然の状況で、体温、体脂肪、血糖値、血圧値、心拍数もしくは上述した数値の組合せを計測し、これらのデータにより自らの健康状態を分かる。操作手順は次のとおりである、(a) 複数の人体データを測定できるゲームコントローラーを使う。利用者がパソコンを操作する同時に、データを計測する。
(b) ゲームコントローラーで測定したデータはゲーム機に転送される。ゲーム機のコントロールインターフェースの操作により、前記データを管理する。前記コントロールインターフェースには、ウェブサイドリンク、図表統計、ファイルシステム化及びデータ表示の機能がある。利用者が随時自分の目前の健康状態を確認したり、統計図表を作成したり、データを保存整理したり及びネットワークにアップデートしたりすることができる。
(c) データを保健ネットワークプラットホームに転送する。前記プラットホームには利用者の諸データを保存するデータベースがある。
(d) 医者や医療機関が前記データベースの内容を読み取ることにより、利用者の目前の健康状態と長期記録を知ることができ、利用者に適切なアドバイスと検査報告を提供できる。
(e) パソコンのコントロールインターフェースのウェブサイドリンク機能を使えば、利用者が前記保健ネットワークプラットホームにリンクすることができる。そして、医者や医療機関の提供したアドバイスや検査報告を読むことができる。
(f) ウェブサイドの医療リンク機能を使えば、メールやインスタントメッセージングで、医者や医療機関に直接に連絡とれ、自らの健康状態を知ることもできる。必要な場合、インターネット上の診療予約も同時にできる。
【００２２】
図９ご参照ください。本発明は保健支援の方法の提案を提出し、つまり、実施例三の保健支援システムにあわせて完成した保健方法を指している。利用者が日常生活において、ごく自然の状況で、体温、体脂肪、血糖値、血圧値、心拍数もしくは上述した数値の組合せを計測し、これらのデータにより自らの健康状態を分かる。操作手順は次のとおりである、
(a) 複数の人体データを測定できる携帯電話機を使い、利用者が携帯電話を操作する同時に、データを計測する。
(b) 前記携帯電話の中にあるコントロールインターフェースの操作により、前記データを管理する。前記コントロールインターフェースには、ウェブサイドリンク、図表統計、ファイルシステム化及びデータ表示の機能を設け、利用者が随時自分の目前の健康状態を確認したり、統計図表を作成したり、データを保存整理したり及びにネットワークにアップデートしたりすることができる。
(c) データを保健ネットワークプラットホームに転送する。前記プラットホームには利用者の諸データを保存するデータベースがある。
(d) 医者や医療機関が前記データベースの内容を読み取ることにより、利用者の目前の健康状態と長期記録を知ることができ、利用者に適切なアドバイスと検査報告を提供できる。
(e) 携帯電話のコントロールインターフェースのウェブサイドリンク機能を使えば、利用者が前記保健ネットワークプラットホームにリンクすることができ、そして、医者や医療機関の提供したアドバイスや検査報告を読むことができる。
(f) ウェブサイドの医療リンク機能を使えば、メールやインスタントメッセージングを送り、医者や医療機関に直接に連絡とれるし、自らの健康状態を知ることもでき、必要な場合は、インターネット上の診療予約も同時にできる。
【図面の簡単な説明】
【００２３】
【図１】本発明の実施例一の複数の人体データを計測するマウスとパソコンを示す図である。
【図２】本発明の実施例一の操作手順流れ図である。
【図３】本発明の実施例二の複数の人体データを計測するゲームコントローラーとゲーム機を示す図である。
【図４】本発明の実施例二の操作手順流れ図である。
【図５】本発明の実施例三の複数の人体データを計測する携帯電話機を示す図である。
【図６】本発明の実施例三の操作手順流れ図である。
【図７】本発明の実施例四の操作手順流れ図である。
【図８】本発明の実施例五の操作手順流れ図である。
【図９】本発明の実施例六の操作手順流れ図である。
【符号の説明】
【００２４】
１  複数の人体データを測定するマウス
１１  計測器
１２  血圧計測器
１３  空気腕帯
２  パソコン
２１  コントロールインターフェース
３  ネットワークプラットホーム
３１  データベース
４  医療機関
５  複数の人体データを測定するゲームコントローラー
５１  計測器
５２  血圧計測器
５３  空気腕帯
６  ゲーム機
６１  コントロールインターフェース
７  携帯電話機
７１  計測器
７２  血圧計測器
７３  空気腕帯
【図１】
2008197784.tif 000003
【図２】
2008197784.tif 000004
【図３】
2008197784.tif 000005
【図４】
2008197784.tif 000006
【図５】
2008197784.tif 000007
【図６】
2008197784.tif 000008
【図７】
2008197784.tif 000009
【図８】
2008197784.tif 000010
【図９】
2008197784.tif 000011